【手続補正書】
【提出日】平成27年7月22日(2015.7.22)
【手続補正１】
【補正対象書類名】特許請求の範囲
【補正対象項目名】全文
【補正方法】変更
【補正の内容】
【特許請求の範囲】
【請求項１】
基板に実装された部品に対してあらかじめ登録された検査基準に基づく自動検査を行うために、前記検査基準を示す情報を作成する方法であって、
少なくとも１種類の部品を対象に、１または複数の計測項目による計測結果に基づき実装状態の特徴を少なくとも２つのタイプに分類することが可能な特徴項目を複数種設定すると共に、特徴項目毎のタイプを組み合わせることにより複数の特徴モデルを設定し、各特徴モデルに、各計測項目による計測を実施した場合に得られる計測項目毎の計測値が取り得る数値範囲と当該特徴モデルの外観を表す模式図とが紐付けられて登録されたデータベースを作成し、
前記データベースに登録されている部品を対象として、対象の部品につき前記データベースに登録されている特徴モデルの模式図が特徴項目別および各特徴項目のタイプ別に分類された状態で配列された２次元マップを表示して、この表示の中から良好な特徴モデルを選択する操作と不良の特徴モデルを選択する操作とを受け付ける第１ステップ、
前記第１ステップで受け付けた選択に基づき、前記２次元マップにおいて良好と選択された第１の特徴モデル群と不良と選択された第２の特徴モデル群との間におけるタイプの違いを特定し、そのタイプの違いが生じた特徴項目に対応する計測項目をキーとして当該違いを検出するための判定条件を設定する第２ステップ、
前記タイプの違いが生じた特徴項目に対応する計測項目に関して前記データベースに登録されている計測値の数値範囲を前記第１の特徴モデル群および第２の特徴モデル群のそれぞれについて個別に導出して、これらの数値範囲に基づいて各特徴モデル群を見分けるための基準値を導出し、導出された基準値を前記第２ステップで設定された判定条件にあてはめた検査基準情報を作成する第３ステップ、
前記対象の部品につき第２ステップで作成された検査基準情報を所定の記憶手段に保存する第４ステップ、の各ステップを実行することを特徴とする部品実装検査のための検査基準情報の設定方法。
【請求項２】
前記第１ステップでは、前記２次元マップを構成する２軸にそれぞれ２種類の特徴項目による階層構造を設定することとして、上位の特徴項目に属する各種タイプをそれぞれ下位の特徴項目に属する各種タイプにより分類して、その分類に沿って各特徴モデルを配列し、
前記第２ステップでは、前記２次元マップの各軸の上位の特徴項目のタイプを１つずつ組み合わせることにより生じる複数のグループのうちの１つを基準として、この基準グループ内で良好と選択された特徴モデルと不良と選択された特徴モデルとを見分けるために下位の特徴項目に対応する計測項目をキーとした判定条件を設定すると共に、その他のグループの中からユーザの選択パターンが前記基準グループと整合しないグループを抽出し、抽出されたグループに対応する上位の特徴項目にかかる計測項目をキーとして前記第１の特徴モデル群と第２の特徴モデル群との間におけるタイプの違いを検出するための判定条件を追加する、請求項１に記載された部品実装検査のための検査基準情報の設定方法。
【請求項３】
基板に実装された部品に対してあらかじめ登録された検査基準に基づく自動検査を行う検査装置が使用する前記検査基準を示す情報を作成するためのシステムであって、
少なくとも１種類の部品を対象に、１または複数の計測項目による計測結果に基づき実装状態の特徴を少なくとも２つのタイプに分類することが可能な特徴項目を複数種設定すると共に特徴項目毎のタイプを組み合わせることにより設定された複数の特徴モデルに、各計測項目による計測を実施した場合に得られる計測項目毎の計測値が取り得る数値範囲と当該特徴モデルの外観を表す模式図とが紐付けられて登録されたモデルデータ記憶手段と、
前記モデルデータ記憶手段に登録されている部品の１つを選択して、選択された部品につきモデルデータ記憶手段に登録されている特徴モデルの模式図が特徴項目別および各特徴項目のタイプ別に分類された状態で配列された２次元マップを表示して、この表示の中から良好な特徴モデルを選択する操作と不良の特徴モデルを選択する操作とを受け付ける選択受付手段と、
前記選択受付手段が受け付けた選択に基づき、前記２次元マップにおいて良好と選択された第１の特徴モデル群と不良と選択された第２の特徴モデル群との間におけるタイプの違いを特定し、そのタイプの違いが生じた特徴項目に対応する計測項目をキーとして当該違いを検出するための判定条件を設定すると共に、前記タイプの違いが生じた特徴項目に対応する計測項目に関して前記モデルデータ記憶手段に登録されている計測値の数値範囲を前記第１の特徴モデル群および第２の特徴モデル群のそれぞれについて個別に導出して、これらの数値範囲に基づいて各特徴モデル群を見分けるための基準値を導出し、導出された基準値を前記判定条件にあてはめた検査基準情報を作成する検査基準情報作成手段と、
前記選択された部品につき検査基準情報作成手段が作成した検査基準情報を保存する登録手段とを、具備する、検査基準情報の作成システム。
【手続補正２】
【補正対象書類名】明細書
【補正対象項目名】００１２
【補正方法】変更
【補正の内容】
【００１２】
第２ステップでは、第１ステップで受け付けた選択に基づき、２次元マップにおいて良好と選択された第１の特徴モデル群と不良と選択された第２の特徴モデル群との間におけるタイプの違いを特定し、そのタイプの違いが生じた特徴項目に対応する計測項目をキーとして当該違いを検出するための判定条件を設定する。
第３ステップでは、前記タイプの違いが生じた特徴項目に対応する計測項目に関してデータベースに登録されている計測値の数値範囲を第１の特徴モデル群および第２の特徴モデル群のそれぞれについて個別に導出して、これらの数値範囲に基づいて各特徴モデル群を見分けるための基準値を導出する。そして、導出された基準値を第２ステップで設定された判定条件にあてはめた検査基準情報を作成する。
第４ステップでは、対象の部品につき第２ステップで作成された検査基準情報を所定の記憶手段（たとえば、検査装置内のメモリや情報管理用のコンピュータシステムなど）に保存する。
【手続補正３】
【補正対象書類名】明細書
【補正対象項目名】００１４
【補正方法】変更
【補正の内容】
【００１４】
上記の方法にかかる一実施形態では、第１ステップでは、２次元マップを構成する２軸にそれぞれ２種類の特徴項目による階層構造を設定することとして、上位の特徴項目に属する各種タイプをそれぞれ下位の特徴項目に属する各種タイプにより分類して、その分類に沿って各特徴モデルを配列する。また第２ステップでは、上記２次元マップの各軸の上位の特徴項目のタイプを１つずつ組み合わせることにより生じるグループのうちの１つを基準として、この基準グループ内で良好と選択された特徴モデルと不良と選択された特徴モデルとを見分けるために下位の特徴項目に対応する計測項目をキーとした判定条件を設定すると共に、その他のグループの中からユーザの選択パターンが基準グループと整合しないグループを抽出し、抽出されたグループに対応する上位の特徴項目にかかる計測項目をキーとして前記第１の特徴モデル群と第２の特徴モデル群との間におけるタイプの違いを検出するための判定条件を追加する。
【手続補正４】
【補正対象書類名】明細書
【補正対象項目名】００１６
【補正方法】変更
【補正の内容】
【００１６】
上記の方法が適用される検査基準情報の作成システムは、少なくとも１種類の部品を対象に、１または複数の計測項目による計測結果に基づき実装状態の特徴を少なくとも２つのタイプに分類することが可能な特徴項目を複数種設定すると共に特徴項目毎のタイプを組み合わせることにより設定された複数の特徴モデルに、各計測項目による計測を実施した場合に得られる計測項目毎の計測値が取り得る数値範囲と当該特徴モデルの外観を表す模式図とが紐付けられて登録されたモデルデータ記憶手段；モデルデータ記憶手段に登録されている部品の１つを選択して、選択された部品につきモデルデータ記憶手段に登録されている特徴モデルの模式図が特徴項目別および各特徴項目のタイプ別に分類された状態で配列された２次元マップを表示して、この表示の中から良好な特徴モデルを選択する操作と不良の特徴モデルを選択する操作とを受け付ける選択受付手段；選択受付手段が受け付けた選択に基づき、２次元マップにおいて良好と選択された第１の特徴モデル群と不良と選択された第２の特徴モデル群との間におけるタイプの違いを特定し、そのタイプの違いが生じた特徴項目に対応する計測項目をキーとして当該違いを検出するための判定条件を設定すると共に、前記タイプの違いが生じた特徴項目に対応する計測項目に関してモデルデータ記憶手段に登録されている計測値の数値範囲を前記第１の特徴モデル群および第２の特徴モデル群のそれぞれについて個別に導出して、これらの数値範囲に基づいて各グループを見分けるための基準値を導出し、導出された基準値を前記判定条件にあてはめた検査基準情報を作成する検査基準情報作成手段と、
前記選択された部品につき検査基準情報作成手段が作成した検査基準情報を保存する登録手段とを、具備する。
【手続補正５】
【補正対象書類名】図面
【補正対象項目名】図９
【補正方法】変更
【補正の内容】
【図９】
2014032122.tif 000001